(57)【特許請求の範囲】
【請求項１】
所定間隔を隔てて対向した取付壁を有するトイレ室の隔壁に固定される枠固定構造において、
上記取付壁に沿ってそれぞれ配置された固定用枠および固定用枠を連結する連結枠によりほぼ矩形に形成される枠本体と、枠本体により囲まれた開口と、固定用枠に形成された取付部と、を有する壁固定枠体と、
前面片と側面片とによりＬ字形に形成され、壁固定枠体を取付壁に固定するための枠体取付具と
を備え、
上記前面片が取付部に取付壁の方向へ固定位置を変更可能に第１締結具で固定されるとともに、上記側面片が取付壁に密着した状態にて第２締結具で固定されることにより、壁固定枠体を取付壁に固定するように構成されていることを特徴とする枠固定装置。
【請求項２】
請求項１の枠固定装置において、
上記隔壁はトイレ室を囲むトイレ壁であり、このトイレ壁の取付凹所に上記取付壁が配置されている枠固定装置。
【請求項３】
請求項１の枠固定装置において、
上記隔壁は、トイレ室に設置された収納棚の側壁であり、この側壁に上記取付壁が配置されている枠固定装置。
【請求項４】
請求項２または請求項３のいずれかの枠固定装置において、
上記隔壁で区画されるスペースには、水洗便器に洗浄水を供給するフラッシュバルブ本体を配置し、
上記壁固定枠体の開口は、フラッシュバルブ本体を点検するための点検用開口である枠固定装置。
【請求項５】
請求項１ないし請求項４のいずれかの枠固定装置において、
上記壁固定枠体は、樹脂により一体成形されている枠固定装置。
【請求項６】
請求項５の枠固定装置において、
上記固定用枠は、取付部の周辺に第２締結具が固定用枠に係合するのを回避して取付壁に直接締結するための切欠を備えている枠固定装置。
【請求項７】
請求項５または請求項６の枠固定装置において、
上記取付部は、枠体取付具をスライド可能に位置決めする取付凹所を備えている枠固定装置。
【請求項８】
請求項１ないし請求項７のいずれかの枠固定装置において、
上記第１締結具は、枠体取付具を取付部に固定するネジとナットとを備え、
枠体取付具は、第１締結具を貫通し、固定位置を変更可能にする長穴を有する枠固定装置。
【請求項９】
請求項１ないし請求項８のいずれかの枠固定装置において、
上記第２締結具は、取付壁にネジ込まれるネジである枠固定装置。
【発明の詳細な説明】
【０００１】
【発明の属する技術分野】
本発明は、トイレ室などに施工される枠固定装置に関する。
【０００２】
【従来の技術】
従来、トイレ室には、隔壁により区画されたスペースを配置し、このスペースにフラッシュバルブ装置などを配置した構成が知られている。この隔壁は、フラッシュバルブ装置をトイレ室から隠すことにより、フラッシュバルブ本体などに対するいたずらを防止している。ところで、フラッシュバルブ本体は、定期的なメンテナンスを必要とする。このため、フラッシュバルブ本体をトイレ室側からメンテナンスできるように、カバーパネルで開閉可能な点検用開口を有する枠固定装置が装着されている。枠固定装置は、金属製の矩形の枠体を金具でトイレ壁に取り付けている。
【０００３】
【発明が解決しようとする課題】
しかし、枠固定装置は、トイレ室の壁面などの比較的施工誤差が大きい箇所に取り付けられるために、枠体は、その機械的強度が小さい場合、例えば、樹脂成形した場合などにも、金具で取り付けるときに損傷を生じないように構成することが要請されていた。
【０００４】
本発明は、上記従来の技術の問題を解決するものであり、取付壁や壁固定枠体に寸法誤差を生じても、損傷を与えることなく、容易に取り付けることができる枠固定装置を提供する。
【０００５】
【課題を解決するための手段およびその作用・効果】
上記課題を解決するためになされた本発明は、
所定間隔を隔てて対向した取付壁を有するトイレ室の隔壁に固定される枠固定構造において、
上記取付壁に沿ってそれぞれ配置された固定用枠および固定用枠を連結する連結枠によりほぼ矩形に形成される枠本体と、枠本体により囲まれた開口と、固定用枠に形成された取付部と、を有する壁固定枠体と、
前面片と側面片とによりＬ字形に形成され、壁固定枠体を取付壁に固定するための枠体取付具と
を備え、
上記前面片が取付部に取付壁の方向へ固定位置を変更可能に第１締結具で固定されるとともに、上記側面片が取付壁に密着した状態にて第２締結具で固定されることにより、壁固定枠体を取付壁に固定するように構成されていることを特徴とする。
【０００６】
本発明にかかる壁固定構造では、所定間隔を隔てて対向した取付壁に壁固定枠体が固定される。壁固定枠体は、固定用枠と連結枠とからほぼ矩形に構成された枠本体を備えている。枠本体は、開口を有して、この開口を通じ、トイレに設置されるバルブなどの点検が可能になる。
【０００７】
壁固定枠体は、固定用枠に形成された取付部の箇所で、枠体取付具を用いて取付壁に固定される。すなわち、枠体取付具は、前面片と側面片とによりＬ字形に形成され、前面片にて第１締結具を用いて取付部の箇所で固定されるとともに、側面片にて第２締結具を用いて取付壁に直接固定される。枠体取付具は、取付壁の方向へ固定位置を変更することができるように構成されているので、上記固定位置を変更することにより対向する取付壁の間の距離の施工誤差や、枠本体の寸法の違いを生じても、取付壁に密着して取り付けることができる。よって、壁固定枠体は、取付壁に施工誤差を生じても、枠体取付具を第２締結具で固定する際に無理な力を受けることなく、これに伴う損傷を生じることもない。
【０００８】
ここで、隔壁は、トイレ室を囲むトイレ壁や、トイレ室に設置された収納棚の側壁などであり、このトイレ壁や収納棚の取付凹所に、上記取付壁を配置するよう構成できる。また、隔壁で区画されるスペースには、水洗便器に洗浄水を供給するフラッシュバルブ本体を配置し、壁固定枠体に、フラッシュバルブ本体を点検するための点検用開口を設ける構成をとることができる。この点検用開口は、カバーパネルで閉じる構成をとることができる。このカバーパネルは、各種の締結具により壁固定枠体に固定する構成とすることができるが、壁固定枠体に磁力により装着する構成をとれば、トイレ室側にネジなどが露出せず、カバーパネルを外すことが難しくなることから、フラッシュバルブ本体などに対するいたずらを防止することができる。
【０００９】
壁固定枠体の材料としては、金属、樹脂などの各種の材料を適用することができるが、変形に対する機械的強度が小さい樹脂を適用した場合には、その損傷を生じることがないので、特に好適である。
【００１０】
壁固定枠体の好適な態様として、固定用枠の取付部の周辺に、第２締結具が固定用枠に係合するのを回避して取付壁に直接締結するための切欠を形成することが好ましい。この態様により、切欠を通じて、第２締結具を取付壁に固定したときに、固定用枠は、第２締結具により無理な力を受けない。また、切欠が固定用枠の取付部の周辺だけに形成されているので、固定用枠は、機械的強度の低下を生じない。
【００１１】
また、壁固定枠体に形成される取付部の好適な態様として、枠体取付具の前面片をスライド可能に位置決めする取付凹所を備える構成をとることができ、これにより枠体取付具の位置決めを確実に行なうことができる。
【００１２】
第１締結具および枠体取付具の好適な態様として、前面片を取付部に固定するネジとナットとを備え、ネジの固定位置を長穴の箇所でずらすことにより、上述した固定位置を容易に変更するように構成できる。また、第２締結具は、取付壁にネジ込まれるネジで構成することができる。
【００１３】
【発明の実施の形態】
以上説明した本発明の構成・作用を一層明らかにするために、以下本発明の好適な実施例について説明する。
【００１４】
図１は本発明の一実施の形態にかかる枠固定装置を備えた水洗便器１０の周辺を示す説明図である。図１において、水洗便器１０は、ボール部１２ａを有する便器本体１２を有している。ボール部１２ａの上面には、便座１６が開閉可能に取り付けられている。便器本体１２の後方のトイレ壁ＷＬには、フラッシュバルブ装置１００が配置されている。
【００１５】
図２はフラッシュバルブ装置１００を正面から見た説明図である。フラッシュバルブ装置１００は、トイレ壁ＷＬ（隔壁）の取付凹所ＷＬａに取り付けられ点検用開口１１４（開口）を形成する壁固定枠体１１０と、壁固定枠体１１０の前面に着脱可能に装着されるカバーパネル１２０と、トイレ壁ＷＬの後ろのスペースに配置されたフラッシュバルブ本体１４１と、フラッシュバルブ本体１４１を開閉駆動するバルブ起動装置１６０と、を備えている。バルブ起動装置１６０は、センサにより起動する自動通水装置１６１と、手動操作により起動する手動操作装置１７０とを備えている。手動操作装置１７０は、ボタン装置１７１と、傾動機構１８０と、ケーブル機構１９０とを備えている。
【００１６】
自動通水装置１６１のセンサにより人体が離れたことを感知すると、フラッシュバルブ本体１４１を開弁することにより洗浄水を流し、一方、手動操作装置１７０のボタン装置１７１を手動操作した場合にも、ケーブル機構１９０を介して傾動機構１８０を作動させることによりフラッシュバルブ本体１４１を開弁して洗浄水を流す。
【００１７】
フラッシュバルブ本体１４１およびバルブ起動装置１６０は、トイレ壁ＷＬの内側のスペースに配置されまたは壁固定枠体１１０に装着されており、カバーパネル１２０を取り外すことによりメンテナンスができるように構成されている。以下、各部の構成について説明する。
【００１８】
（１）  壁固定枠体１１０
図３はフラッシュバルブ装置１００のカバーパネル１２０を外した状態を正面から見た説明図である。壁固定枠体１１０は、樹脂から一体成形されており、四角形の枠本体１１１を備えている。枠本体１１１は、下枠１１２Ｌおよび上枠１１２Ｕ（連結枠）と、左右の縦枠１１３，１１３（固定用枠）とを備え、その内側を点検用開口１１４としている。点検用開口１１４の内側のスペースには、フラッシュバルブ本体１４１、バルブ起動装置１６０が配置されている。
【００１９】
壁固定枠体１１０は、４カ所の金具取付部１１５（取付部）にて枠体取付金具１３１を用いてトイレ壁ＷＬに固定される。図４は枠体取付金具１３１（枠体取付具）により壁固定枠体１１０をトイレ壁ＷＬに取り付ける前の状態を示す斜視図である。金具取付部１１５は、縦枠１１３から中央に向けて突設された前取付部１１５ａと、前取付部１１５ａの基部から縦枠１１３の側面に向けて形成された側取付部１１５ｂとを備えている。また、前取付部１１５ａの前面から側取付部１１５ｂにかけて、枠体取付金具１３１を位置決めする金具取付凹所１１５ｃが形成されている。側取付部１１５ｂには、側端から切欠１１５ｄが形成されている。前取付部１１５ａの裏面側には、ナット受１１５ｅが形成され、ナット１１５ｆが保持されている。
【００２０】
一方、枠体取付金具１３１は、前面片１３１ａと側面片１３１ｂとをＬ字形に折曲した金具であり、前面片１３１ａには、長穴１３１ｃが形成され、側面片１３１ｂには、円孔１３１ｄが形成されている。
【００２１】
図５は壁固定枠体１１０をトイレ壁ＷＬの側壁ＷＬｂ（取付壁）に枠体取付金具１３１で取り付けている部分を示す断面図である。図５（Ａ）に示すように、壁固定枠体１１０をトイレ壁ＷＬに取り付けるには、枠体取付金具１３１を金具取付部１１５の金具取付凹所１１５ｃに合わせて、ネジ１３１ｆを、長穴１３１ｃを通じてナット１１５ｆで緩く仮止めする。その後に、円孔１３１ｄにネジ１３１ｇを締め込むことにより、側壁ＷＬｂに固定する。このとき、縦枠１１３の側壁１１３ａには、切欠１１５ｄがあるので、ネジ１３１ｇは、側壁１１３ａを押さえつけず、金具取付部１１５を直接、トイレ壁ＷＬに押さえつける。また、枠体取付金具１３１は、ネジ１３１ｆで仮止めされているので、隙間に応じて長穴１３１ｃ内をずらすことができ、枠体取付金具１３１を側壁ＷＬｂに密着させてからネジ１３１ｆを堅く締め込む。
【００２２】
図５（Ｂ）は壁固定枠体１１０の寸法誤差およびトイレ壁ＷＬの施工誤差により、壁固定枠体１１０と側壁ＷＬｂとの間隙が図５（Ａ）のＬ１からＬ２へ拡がっている場合について示している。このような場合であっても、枠体取付金具１３１を壁固定枠体１１０に対してずらすとともに、ネジ１３１ｆで締結する長穴１３１ｃの位置を変えることにより、枠体取付金具１３１を側壁ＷＬｂに密着して取り付けることができる。よって、壁固定枠体１１０を樹脂で成形した場合に、トイレ壁ＷＬに施工誤差が生じても取付時に壁固定枠体１１０に無理な力が加わって損傷を加えることもない。
【００２３】
図３に示すように、壁固定枠体１１０の下部には、ボタン取付部１１８および電池取付部１１９が形成されている。ボタン取付部１１８には、手動操作装置１７０のボタン装置１７１が取り付けられ、また、電池取付部１１９には、電池ボックス１６７が着脱可能に取り付けられる。なお、ボタン取付部１１８および電池取付部１１９の構成については、手動操作装置１７０および電池ボックス１６７とともに後述する。
【００２４】
（２）  カバーパネル１２０の構成およびその取付構造
図６はフラッシュバルブ装置１００を正面から見た図である。カバーパネル１２０は、ステンレス製のプレートであり、トイレ壁ＷＬと同一面になるように壁固定枠体１１０に装着される。カバーパネル１２０には、その中央上部に、人体感知センサ１６２を設置するためのセンサ用開口１２１が形成され、さらにボタン装置１７１を操作するためのボタン用開口１２２が形成されている。
【００２５】
カバーパネル１２０は、壁固定枠体１１０のコーナーの４カ所にて、ネジ挿通孔１２４を貫通した皿ネジ１３０により取り付けられている。皿ネジ１３０は、カバーパネル１２０の表面と同一面になって意匠性を高めている。
【００２６】
図７はカバーパネル１２０を皿ネジ１３０でナット固定部１１６に取り付けている部分を示す断面図、図８は図７の矢印８の方向から見た矢視図である。皿ネジ１３０は、ナット固定部１１６に収納されたナット１１６ａに締結されている。ナット固定部１１６は、壁固定枠体１１０の樹脂収縮に伴う寸法誤差があっても、カバーパネル１２０の取付を容易にするために、以下の構成がとられている。
【００２７】
ナット固定部１１６は、ナット１１６ａを収納するナット用凹所１１６ｃを形成する保持壁１１６ｄと、封止カバー１１６ｆとを備えている。ナット用凹所１１６ｃは、ナット１１６ａを僅かに移動可能な遊びを有して収納するスペースに形成されている。保持壁１１６ｄの開口面には、接着剤を充填する凹所１１６ｇが形成されている。また、保持壁１１６ｄの外側のコーナーには、凹所１１６ｇから外側へ繋がる切欠１１６ｈが形成されている。
【００２８】
ナット用凹所１１６ｃにナット１１６ａを収納して、凹所１１６ｇに接着剤を充填して、封止カバー１１６ｆを接着する。これにより、ナット１１６ａをカバーパネル１２０から脱落しないようにする。このとき、保持壁１１６ｄには、切欠１１６ｈが形成されているので、凹所１１６ｇに充填した接着剤は、凹所１１６ｇを通じて外側へ流れ、ナット用凹所１１６ｃに入らないから、ナット１１６ａが接着剤でその移動を阻止するように固定されることもない。また、ナット１１６ａは、皿ネジ１３０の挿入を容易にするように開口で拡径している開口テーパ１１６ｂを備えている。開口テーパ１１６ｂは、ナット用凹所１１６ｃ内でナット１１６ａが移動しても、ナット１１６ａの先端を容易に導くための傾斜である。
ナット固定部１１６の構成により、ナット１１６ａがナット用凹所１１６ｃで遊びを有して保持されているから、皿ネジ１３０をナット１１６ａに締結するときには、ナット用凹所１１６ｃ内でナット１１６ａが移動可能である。したがって、壁固定枠体１１０が樹脂収縮に伴って大きな寸法誤差を生じても、ナット固定部１１６で吸収することができ、金属製のカバーパネル１２０のネジ挿通孔１２４との位置決めが容易である。
【００２９】
図９はカバーパネル１２０を開いた状態を示す側面図である。カバーパネル１２０は、パネルストッパ１２６，１２６と、チェーン１３３とにより壁固定枠体１１０に仮止めされる。パネルストッパ１２６，１２６は、カバーパネル１２０の裏面下部の両側にそれぞれ取り付けられている。すなわち、パネルストッパ１２６は、カバーパネル１２０の裏面に溶接される基部１２６ａと、基部１２６ａからＬ字形に延設された係止部１２６ｂとを備えており、係止部１２６ｂの先端を下枠１１２Ｌに引っ掛ける。
また、チェーン１３３は、一端のクリップ１３３ａでカバーパネル１２０の裏面に取り付けられたチェーン取付部１２３に引っ掛けられ、他端のクリップ１３３ｂで壁固定枠体１１０の上部の取付穴１１２Ｕａに引っ掛けられている。
したがって、カバーパネル１２０は、パネルストッパ１２６で下部を支持されるとともにチェーン１３３で吊られることにより、傾斜した状態で壁固定枠体１１０に対して支持されることになる。
【００３０】
（３）  フラッシュバルブ本体１４１の構成および動作
図１０はフラッシュバルブ本体１４１を示す断面図である。フラッシュバルブ本体１４１は、手動操作装置１７０により手動で駆動される機構に並設して、電気的に駆動される開閉電磁弁１５０を備えている。フラッシュバルブ本体１４１は、ボディ１４２内に収納されかつ一次側通水路１４２ａと二次側通水路１４２ｂとの間の弁座１４２ｃに着離する主弁１４３と、主弁１４３で区画された背圧室１４２ｄと一次側通水路１４２ａを接続するパイロット弁１４４と、ボディ１４２の上側部に取り付けられた開閉電磁弁１５０とを備え、主弁１４３の背圧室１４２ｄの水を開閉電磁弁１５０の開閉動作により、また、主弁１４３の起動棒１４３ａを傾倒しまたは元の起立位置に戻す動作により、洗浄水を供給および止水している。なお、フラッシュバルブ本体１４１の一次側通水路１４２ａとパイロット弁１４４との間には、フィルタ（図示省略）が設けられており、ボディ１４２の蓋体１４２ｇや主弁１４３を外すことにより、メンテナンスが可能になっている。
【００３１】
図１１は開閉電磁弁１５０を示す断面図である。開閉電磁弁１５０は、ケーシング１５１内に収納され、駆動部１５２と、ダイヤフラム弁体１５３と、を備えている。駆動部１５２は、電磁コイル１５２ａと、電磁コイル１５２ａへの励磁により進退するプランジャ１５２ｂと、プランジャ１５２ｂを図示の下方へ付勢しているスプリング１５２ｃとを備えている。また、ダイヤフラム弁体１５３は、ケーシング１５１の一端で固定されたダイヤフラム１５３ａと、ダイヤフラム１５３ａの中央部を支持しているダイヤフラム支持体１５３ｂとを備えており、圧力室１５４を区画形成している。また、ダイヤフラム支持体１５３ｂの中心部には、圧力室１５４と二次側通水路１４２ｂとを接続する連通孔１５３ｆが形成されている。連通孔１５３ｆの一方の開口は、プランジャ１５２ｂの先端で開閉されるように配置されている。また、ダイヤフラム１５３ａの外周部には、小孔１５３ｇが形成され、フラッシュバルブ本体１４１の背圧室１４２ｄを圧力室１５４に接続している。
【００３２】
開閉電磁弁１５０の開閉動作について説明する。駆動部１５２に開信号が送られると、プランジャ１５２ｂがスプリング１５２ｃに抗して引き上げられ、これにより圧力室１５４の水がダイヤフラム支持体１５３ｂの連通孔１５３ｆを通じて抜けて、ダイヤフラム１５３ａがフラッシュバルブ本体１４１の背圧室１４２ｄからの水圧で持ち上がる。これにより、フラッシュバルブ本体１４１の背圧室１４２ｄ内の水が通路を通じて二次側通水路１４２ｂへ逃がされる。背圧室１４２ｄの水が抜かれると、上述したように、図１０に示すフラッシュバルブ本体１４１が開弁する。一方、バルブ駆動回路１６４から閉信号が駆動部１５２へ送られると、駆動部１５２のプランジャ１５２ｂが下がり、連通孔１５３ｆの流路を閉じる。これにより、圧力室１５４の内圧が徐々に上昇し、ダイヤフラム弁体１５３が下降し、ダイヤフラム１５３ａの両面に加わる圧力がバランスしたところで、ダイヤフラム弁体１５３が閉じて、背圧室１４２ｄの圧力を高くする。これによりフラッシュバルブ本体１４１が閉じる。
【００３３】
（４）  バルブ起動装置１６０
図２に示したように、バルブ起動装置１６０は、自動通水装置１６１と、手動操作装置１７０とを備えている。
【００３４】
（４）−Ａ  自動通水装置１６１
図１２はカバーパネル１２０の裏面上部などに取り付けられた自動通水装置１６１を説明する説明図である。自動通水装置１６１は、人体感知センサ１６２と、人体感知センサ１６２と一体に組み付けられたバルブ駆動回路１６４と、人体感知センサ１６２およびバルブ駆動回路１６４に給電する電源１６６とを備えている。人体感知センサ１６２は、カバーパネル１２０の裏面に取り付けられており、センサ用開口１２１に感知面１６２ａを露出させている。この感知面１６２ａは、人体等を感知する方向に向けられている。人体感知センサ１６２の検出信号は、バルブ駆動回路１６４に送られ、バルブ駆動回路１６４からリード線１６２ｂを介して開閉電磁弁１５０の駆動部１５２に送られる。電源１６６は、単三電池を収納する電池ボックス１６７を備えている。電池ボックス１６７は、電池取付部１１９に着脱可能に取り付けられる。
【００３５】
（４）−Ｂ１  手動操作装置１７０
図１３は手動操作装置１７０のボタン装置１７１の周辺を水平方向に切断した断面図、図１４はボタン装置１７１を垂直方向に切断した断面図、図１５は図１３に示すボタン装置１７１をボタン取付部１１８に取り付ける前の状態を示す断面図、図１６は図１３に示すボタン装置１７１を押圧操作した状態を示す断面図である。図１３において、ボタン装置１７１は、壁固定枠体１１０のボタン取付部１１８に取り付けられており、操作ボタン１７２と、ボタン支持体１７３と、スプリング１７４と、支持金具１７５と、回動体１７６と、を備えている。
【００３６】
図１５において、操作ボタン１７２は、楕円形状の操作部１７２ａを備え、その外面が操作面１７２ｂとなっている。操作部１７２ａは、横長の楕円に形成して意匠性を高めるとともに、その表面が指に倣ってフィットする凹状の湾曲面に形成されることにより操作性を高めている。操作部１７２ａの裏面側には、突出筒体１７２ｃが突設されている。突出筒体１７２ｃの先端側には、スリット１７２ｄが形成されるとともに係合爪１７２ｅ（図１４）が形成されている。また、操作部１７２ａの裏面中心部には、中央押圧部１７２ｆが突出筒体１７２ｃの中心を貫通するように突設されている。
【００３７】
ボタン支持体１７３は、壁固定枠体１１０のボタン取付部１１８に取り付けられるとともに、操作ボタン１７２を押圧操作可能に支持するものであり、ガイド本体１７３ａを備えている。ガイド本体１７３ａの外周部には、フランジ１７３ｂが形成され、取付ネジ１７３ｇでボタン取付部１１８に固定されている。ガイド本体１７３ａには、摺動穴１７３ｃが形成され、この摺動穴１７３ｃで操作部１７２ａを摺動自在に支持している。また、ボタン支持体１７３の先端部には、ガイド部１７３ｄが形成されている。ガイド部１７３ｄは、ガイド穴１７３ｆを有するガイド筒体１７３ｅを備え、このガイド穴１７３ｆで突出筒体１７２ｃを摺動自在にガイドしている。突出筒体１７２ｃは、ガイド穴１７３ｆにスリット１７２ｄの部分で縮径して係合爪１７２ｅを乗り越えることにより押し入れられて、ガイド穴１７３ｆに摺動可能に支持されている。
【００３８】
スプリング１７４は、操作部１７２ａとガイド部１７３ｄとの間に掛け渡されて操作ボタン１７２を突出方向（手前方向）に付勢するものである。スプリング１７４により付勢された操作ボタン１７２は、ボタン支持体１７３に対して係合爪１７２ｅにより抜止めされている。
【００３９】
支持金具１７５は、ボタン支持体１７３の先端側に固定されたＬ字形の金具であり、回動体１７６を回動自在に支持している。回動体１７６は、２枚のほぼ三角形の板材を対向して一体化した金具であり、基部１７６ａで回動軸１７６ｃを中心に支持金具１７５に対して回動自在に支持されている。回動体１７６の一端は、中央押圧部１７２ｆにより押圧される押圧端１７６ｂになっている。
【００４０】
手動操作装置１７０において、操作ボタン１７２の操作部１７２ａを押すと、スプリング１７４のスプリング力に抗して操作部１７２ａが押し入れられて、中央押圧部１７２ｆの先端で回動体１７６を、回動軸１７６ｃを中心に回動させる。
【００４１】
手動操作装置１７０は、上述したように、壁固定枠体１１０のボタン取付部１１８に取り付けられている。すなわち、ボタン取付部１１８は、上枠１１２Ｕの中央から上方に板状に突設されており、ボタン支持体１７３を取り付けるための取付穴１１８ｂを備えている。取付穴１１８ｂには、内周壁に沿って複数個の固定用突起１１８ｃが形成されている。操作ボタン１７２を組み込んだボタン支持体１７３を取付穴１１８ｂに挿入すると、固定用突起１１８ｃは、ボタン支持体１７３の外面で押されて弾性変形して、ボタン支持体１７３をボタン取付部１１８に位置決めする。なお、ボタン支持体１７３は、取付ネジ１７３ｇで締結されることにより、ボタン取付部１１８に固定される。
【００４２】
（４）−Ｂ２  傾動機構１８０の構成
図１７は傾動機構１８０およびその周辺を示す断面図、図１８は傾動機構１８０を押圧操作したときの状態を示す断面図である。傾動機構１８０は、金具本体１８１と、押圧棒１８２と、内側キャップ１８３と、パッキン１８４と、スプリング１８５と、支持体１８６と、支持金具１８７と、回動体１８８とを備えている。
【００４３】
金具本体１８１は、ボディ１４２の側開口１４２ｆにＯリングでシールされた状態で取り付けられており、つまり挿入固定部１８１ｂを側開口１４２ｆに挿入するとともに、フランジ１８１ｄで固定ネジ１８１ｆによりボディ１４２に固定されている。金具本体１８１の軸心には、金具貫通孔１８１ａが形成されており、この金具貫通孔１８１ａに押圧棒１８２が摺動可能に嵌挿されている。押圧棒１８２は、押圧部１８２ａと、起動部１８２ｂとを備え、これらをネジで連結して一体に構成されている。押圧部１８２ａの一端のうち、回動体１８８に当たる部分は、半球に形成されており、回動体１８８からの押圧力を軸方向へ移動する力に変換するように形成されている。また、起動部１８２ｂの一端は、起動棒１４３ａを側方から傾倒させることができるように配置されている。なお、押圧棒１８２には、抜止ピン１８２ｃが軸方向と直角方向に装着されて、押圧棒１８２を抜止している。
【００４４】
金具本体１８１の挿入固定部１８１ｂには、ネジ部１８１ｃで内側キャップ１８３が装着されている。内側キャップ１８３内には、パッキン１８４が収納されるとともに、このパッキン１８４を支持体１８６により支持している。パッキン１８４は、押圧棒１８２の外周面をシールしている。
【００４５】
支持金具１８７および回動体１８８は、図１３の支持金具１７５および回動体１７６と同じ形状である。すなわち、支持金具１８７は、ボディ１４２の側開口１４２ｆの周辺に固定されて、回動体１８８を回動軸１８８ｃにより回動自在に支持している。回動体１８８の一端は、押圧棒１８２を押圧する押圧端１８８ｂになっている。回動体１８８は、回動して押圧棒１８２を押圧すると、図１８に示すように、押圧棒１８２がスプリング１８５のスプリング力に抗して移動して、起動棒１４３ａを押してフラッシュバルブ本体１４１を開弁する。
【００４６】
（４）−Ｂ３  ケーブル機構１９０の構成
ケーブル機構１９０は、インナケーブル１９１と、アウタケーブル１９２とから構成されている。インナケーブル１９１は、可撓性を有するワイヤから構成され、フラッシュバルブ本体１４１を取り囲むように点検用開口１１４内に配置されている。インナケーブル１９１の一端は、図１３に示す手動操作装置１７０の回動体１７６に連結され、その他端は、図１７に示す傾動機構１８０の回動体１８８に連結されている。なお、アウタケーブル１９２の両端部は、ケーブル固定金具１９３，１９３により支持金具１７５および支持金具１８７にそれぞれ固定されている。
【００４７】
（５）  洗浄動作
次に、洗浄動作について説明する。洗浄動作は、人体感知センサ１６２によるフラッシュバルブ本体１４１を駆動する場合と、人体感知センサ１６２が故障したときなどにバルブ起動装置１６０による手動によりフラッシュバルブ本体１４１を駆動する場合とがある。
【００４８】
（５）−Ａ  人体感知センサ１６２による洗浄動作
図１２において、人体感知センサ１６２が人体を感知すると、人体感知センサ１６２で検出した検出信号がバルブ駆動回路１６４に送られ、さらに、バルブ駆動回路１６４から開閉電磁弁１５０の駆動部１５２へ駆動信号が送られる。これにより、フラッシュバルブ本体１４１の背圧室１４２ｄの水が排出されて、フラッシュバルブ本体１４１が開弁する。
【００４９】
（５）−Ｂ  手動による洗浄動作
図１３に示す操作ボタン１７２の操作部１７２ａを押すと、スプリング１７４のスプリング力に抗して操作部１７２ａが押し込められ、中央押圧部１７２ｆが回動体１７６の押圧端１７６ｂを押す。これにより、回動体１７６が回動軸１７６ｃを中心に回動し、インナケーブル１９１を引っ張る（図１６の状態）。インナケーブル１９１が引っ張られると、図１８に示すように傾動機構１８０の回動体１８８が回動軸１８８ｃを中心に回動する。これにより、回動体１８８の押圧端１８８ｂが押圧棒１８２をスプリング１８５のスプリング力に抗して押す。押圧棒１８２の移動により起動部１８２ｂでフラッシュバルブ本体１４１の起動棒１４３ａを押してフラッシュバルブ本体１４１が開弁する。
【００５０】
（６）  フラッシュバルブ装置１００のメンテナンス
図３に示すように、フラッシュバルブ装置１００をメンテナンスするには、カバーパネル１２０を壁固定枠体１１０から取り外すことにより行なう。すなわち、図９に示すように、皿ネジ１３０を外して、カバーパネル１２０の上部を手前に倒す。このとき、カバーパネル１２０は、パネルストッパ１２６，１２６が下枠１１２Ｌに係合して仮止めされる。さらに、リード線１６２ｂ，１６４ａをコネクタの部分で外して、カバーパネル１２０を持ち上げて、パネルストッパ１２６，１２６と下枠１１２Ｌとの係合を解除すると、点検用開口１１４が開かれる。この点検用開口１１４を通じて、図３に示すフラッシュバルブ本体１４１のメンテナンスを行なうことができる。
【００５１】
フラッシュバルブ装置１００の構成において、手動操作装置１７０は、壁固定枠体１１０に固定されているから、メンテナンスの際にカバーパネル１２０だけを外せばよく、つまり手動操作装置１７０がフラッシュバルブ本体１４１に連結した状態のままでよいから、作業性に優れている。
【００５２】
図１０に示すように、傾動機構１８０は、押圧棒１８２が起動棒１４３ａに所定間隙隔てて側方に配置されているので、フラッシュバルブ本体１４１のフィルタの交換や掃除などのメンテナンスをする際も、フラッシュバルブ本体１４１の蓋体１４２ｇを外せば、パイロット弁１４４および主弁１４３を外すことができる。よって、メンテナンスの際に傾動機構１８０を外したり、分解したりするなどの作業を必要としないから、作業性に優れている。
【００５３】
なお、この発明は上記実施例に限られるものではなく、その要旨を逸脱しない範囲において種々の態様において実施することが可能であり、例えば次のような変形も可能である。
【００５４】
（１）  上記実施例では、壁固定枠体は、便器本体の後方の壁内に収納したが、これに限らず、便器本体に隣接する収納棚などに設置してもよい。
【００５５】
（２）  枠体取付金具１３１は、金属で形成するほか、使用する箇所や機械的強度に応じて、樹脂で形成してもよい。
【００５６】
（３）  上記実施例では、壁固定枠体１１０と枠体取付金具１３１との固定位置を変更する構成として、枠体取付金具１３１に長穴１３１ｃを形成したが、これに限らず、壁固定枠体１１０の金具取付部１１５に長穴を形成し、枠体取付金具１３１に丸穴を形成してもよい。
【図面の簡単な説明】
【図１】本発明の一実施の形態にかかる枠固定装置を備えた水洗便器１０の周辺を示す説明図である。
【図２】フラッシュバルブ装置１００を正面から見た説明図である。
【図３】フラッシュバルブ装置１００のカバーパネル１２０を外した状態を正面から見た説明図である。
【図４】枠体取付金具１３１により壁固定枠体１１０をトイレ壁ＷＬに取り付ける前の状態を示す斜視図である。
【図５】壁固定枠体１１０をトイレ壁ＷＬの側壁ＷＬｂに枠体取付金具１３１で取り付けている部分を示す断面図である。
【図６】フラッシュバルブ装置１００を正面から見た図である。
【図７】カバーパネル１２０を皿ネジ１３０でナット固定部１１６に取り付けている部分を示す断面図である。
【図８】図７の矢印８の方向から見た矢視図である。
【図９】カバーパネル１２０を開いた状態を説明する説明図である。
【図１０】フラッシュバルブ本体１４１を示す断面図である。
【図１１】開閉電磁弁１５０を示す断面図である。
【図１２】カバーパネル１２０の裏面上部などに取り付けられた自動通水装置１６１を説明する説明図である。
【図１３】手動操作装置のボタン装置の周辺を水平方向に切断した断面図である。
【図１４】ボタン装置を垂直方向に切断した断面図である。
【図１５】図１３に示すボタン装置をボタン取付部に取り付ける前の状態を示す断面図である。
【図１６】図１３に示すボタン装置を押圧操作した状態を示す断面図である。
【図１７】傾動機構およびその周辺を示す断面図である。
【図１８】傾動機構を押圧操作したときの状態を示す断面図である。
【符号の説明】
１０…水洗便器
１２…便器本体
１２ａ…ボール部
１６…便座
１００…フラッシュバルブ装置
１１０…壁固定枠体
１１１…枠本体
１１２Ｕ…上枠（連結枠）
１１２Ｌ…下枠（連結枠）
１１２Ｕａ…取付穴
１１３…縦枠（固定用枠）
１１３ａ…側壁
１１４…点検用開口（開口）
１１５…金具取付部（取付部）
１１５ａ…前取付部
１１５ｂ…側取付部
１１５ｃ…金具取付凹所
１１５ｄ…切欠
１１５ｅ…ナット受
１１５ｆ…ナット
１１６…ナット固定部
１１６ａ…ナット
１１６ｂ…開口テーパ
１１６ｃ…ナット用凹所
１１６ｄ…保持壁
１１６ｆ…封止カバー
１１６ｇ…凹所
１１６ｈ…切欠
１１８…ボタン取付部
１１８ｂ…取付穴
１１８ｃ…固定用突起
１１９…電池取付部
１２０…カバーパネル
１２１…センサ用開口
１２２…ボタン用開口
１２３…チェーン取付部
１２４…ネジ挿通孔
１２６…パネルストッパ
１２６ａ…基部
１２６ｂ…係止部
１３０…皿ネジ
１３１…枠体取付金具（枠体取付具）
１３１ａ…前面片
１３１ｂ…側面片
１３１ｃ…長穴
１３１ｄ…円孔
１３１ｆ…ネジ
１３１ｇ…ネジ
１３３…チェーン
１３３ａ…クリップ
１３３ｂ…クリップ
１４１…フラッシュバルブ本体
１４２…ボディ
１４２ａ…一次側通水路
１４２ｂ…二次側通水路
１４２ｃ…弁座
１４２ｄ…背圧室
１４２ｆ…側開口
１４２ｇ…蓋体
１４３…主弁
１４３ａ…起動棒
１４４…パイロット弁
１５０…開閉電磁弁
１５１…ケーシング
１５２…駆動部
１５２ａ…電磁コイル
１５２ｂ…プランジャ
１５２ｃ…スプリング
１５３…ダイヤフラム弁体
１５３ａ…ダイヤフラム
１５３ｂ…ダイヤフラム支持体
１５３ｆ…連通孔
１５３ｇ…小孔
１５４…圧力室
１６０…バルブ起動装置
１６１…自動通水装置
１６２ｂ，１６４ａ…リード線
１６２…人体感知センサ
１６２ａ…感知面
１６２ｂ…リード線
１６４…バルブ駆動回路
１６６…電源
１６７…電池ボックス
１７０…手動操作装置
１７１…ボタン装置
１７２…操作ボタン
１７２ａ…操作部
１７２ｂ…操作面
１７２ｃ…突出筒体
１７２ｄ…スリット
１７２ｅ…係合爪
１７２ｆ…中央押圧部
１７３…ボタン支持体
１７３ａ…ガイド本体
１７３ｂ…フランジ
１７３ｃ…摺動穴
１７３ｄ…ガイド部
１７３ｅ…ガイド筒体
１７３ｆ…ガイド穴
１７３ｇ…取付ネジ
１７４…スプリング
１７５…支持金具
１７６…回動体
１７６ａ…基部
１７６ｂ…押圧端
１７６ｃ…回動軸
１８０…傾動機構
１８１…金具本体
１８１ａ…金具貫通孔
１８１ｂ…挿入固定部
１８１ｃ…ネジ部
１８１ｄ…フランジ
１８１ｆ…固定ネジ
１８２…押圧棒
１８２ａ…押圧部
１８２ｂ…起動部
１８２ｃ…抜止ピン
１８３…内側キャップ
１８４…パッキン
１８５…スプリング
１８６…支持体
１８７…支持金具
１８８…回動体
１８８ｂ…押圧端
１８８ｃ…回動軸
１９０…ケーブル機構
１９１…インナケーブル
１９２…アウタケーブル
１９３…ケーブル固定金具
ＷＬ…トイレ壁（隔壁）
ＷＬａ…取付凹所
ＷＬｂ…側壁（取付壁）
【図１】
0004691843.tif 000002
【図２】
0004691843.tif 000003
【図３】
0004691843.tif 000004
【図４】
0004691843.tif 000005
【図５】
0004691843.tif 000006
【図６】
0004691843.tif 000007
【図７】
0004691843.tif 000008
【図８】
0004691843.tif 000009
【図９】
0004691843.tif 000010
【図１０】
0004691843.tif 000011
【図１１】
0004691843.tif 000012
【図１２】
0004691843.tif 000013
【図１３】
0004691843.tif 000014
【図１４】
0004691843.tif 000015
【図１５】
0004691843.tif 000016
【図１６】
0004691843.tif 000017
【図１７】
0004691843.tif 000018
【図１８】
0004691843.tif 000019